(57)【要約】【課題】断熱材や蓄熱材、遮蔽材、窓ガラスに擬した透明板材などを、建物に擬した箱に装着し、外側から電球で照射し、箱内部の温度変化を観察する実験に際し、実験材料を容易に準備できること、同じ実験材料を何度も組み替えできること、実験材料の保管が容易で繰り返し使用できること、を可能にすること。【解決手段】それぞれが折り畳み可能な中箱１と外箱７の間にスペーサー９を挿入した、断熱性の低い入れ子構造の二重箱の正面から、着脱可能な透明板材を嵌める方法と、中箱１と外箱７の間に断熱材を充填した、断熱性の高い入れ子構造の二重箱の正面から、着脱可能な透明板材を嵌める方法とを合わせて、箱模型実験材料を提供することとした。【選択図】図１
0003138809.tif 000002
【実用新案登録請求の範囲】
【請求項１】
正面に開口部が設けてあり、内部に蓄熱材や遮蔽材を着脱することが可能な掛かりが設けてある、組み立てと折り畳みが繰り返し可能な中箱と、正面と側面に開口部が設けてあり、組み立てと折り畳みが繰り返し可能な外箱から成る入れ子構造の、中箱と外箱の間にスペーサーを挿入して外箱に対する中箱の位置を固定し、弾力性のある縁材が設けられた透明板材を正面外側から嵌め込んで中箱を密閉する、断熱性が低い箱模型実験材料。
【請求項２】
前項の入れ子構造の中箱と外箱の間に断熱材を充填し、弾力性のある縁材が設けられた透明板材を正面外側から嵌め込んで中箱を密閉する、断熱性が高い箱模型実験材料。
【考案の詳細な説明】
【技術分野】
【０００１】  本考案は、建物の壁や窓などの建物外皮と建物内部の温度変化の関係を、建物に擬した箱を使って実験するための、準備が容易で、部材の組み替えが可能で、繰り返し使用することが可能な、箱模型実験材料に関する。
【背景技術】
【０００２】  断熱材や蓄熱材、遮蔽材、窓ガラスに擬した透明板材などを、建物に擬した箱に装着し、外側から電球で照射し、箱内部の温度変化を観察する実験がある。
【考案の開示】
【考案が解決しようとする課題】
【０００３】  前記実験を行うために、実施者は、断熱材や蓄熱材、遮蔽材、窓ガラスに擬した透明板材、建物に擬した箱などの実験材料を、原材料から裁断加工し、接着剤や粘着テープなどを使って組み立てるなどの準備に、多大な時間と労力を要していた。しかも、これらの実験材料は、接着剤や粘着テープを多用して組み立てられているため、建物に擬した箱に一旦取り付けられた断熱材や蓄熱材、遮蔽材、窓ガラスに擬した透明板材などの装着部品を組み替えることが困難で、異なる実験ごとに異なる箱や装着部品を多数準備する必要があった。また、建物に擬した箱は嵩張るため、保管場所に窮して、実験が終了する度に廃棄し、また新たに作り直すことが多かった。このように、前記実験を行うための問題点として、実験材料の準備が困難であったこと、実験材料の組み替えができなかったこと、実験材料の保管の困難から繰り返しの使用が難しかったこと、があった。【０００４】  本考案は、前記実験を行うために実施者が抱えていた前記の問題点を解決するために、実験材料を容易に準備できること、同じ実験材料を何度も組み替えできること、実験材料の保管が容易で繰り返し使用できることを目的とするものである。
【課題を解決するための手段】
【０００５】  本考案は上記目的を達成するために、正面に窓に擬した開口部が設けてあり、内部に蓄熱材や遮蔽材を着脱することが可能な掛かりが設けてある、組み立てと折り畳みが繰り返し可能な中箱と、正面に窓に擬した開口部が設けてあり、側面に通気のための開口部が設けてある、組み立てと折り畳みが繰り返し可能な外箱から成る入れ子構造の、中箱と外箱の間にスペーサーを挿入して、外箱に対する中箱の位置を固定し、弾力性のある縁材が設けられた透明板材を正面外側から嵌め込んで中箱を密閉する、断熱性が低い建物に擬した箱模型実験材料を提供する。【０００６】  また、前項の入れ子構造の中箱と外箱の間に断熱材を充填し、弾力性のある縁材が設けられた透明板材を正面外側から嵌め込んで中箱を密閉する、断熱性が高い建物に擬した箱模型実験材料を提供する。
【考案の効果】
【０００７】  上記第１の課題解決手段による作用は、次の通りである。すなわち、実験の実施者は、接着剤や粘着テープなどを使わずに断熱性の低い建物に擬した箱を組み立てることができるため、実験材料を容易に準備できること、蓄熱材や遮蔽材、窓ガラスに擬した透明板材、建物に擬した箱は、それぞれ着脱が可能なため、少ない実験材料を組み替えて何度も実験できること、建物に擬した箱は折り畳みが可能なため、保管が容易で繰り返し使用できること、である。【０００８】  また、上記第２の課題解決手段による作用は、次の通りである。すなわち、実験の実施者は、接着剤や粘着テープなどを使わずに断熱性の高い建物に擬した箱を組み立てることができるため、実験材料を容易に準備できること、蓄熱材や遮蔽材、窓ガラスに擬した透明板材、建物に擬した箱、断熱材は、それぞれ着脱が可能なため、少ない実験材料を組み替えて何度も実験できること、建物に擬した箱は折り畳みが可能なため、保管が容易で繰り返し使用できること、である。
【考案を実施するための最良の形態】  考案を実施するための最良の形態として、一実施例を図１〜図１６に基づいて説明する。
【実施例】
【０００９】  図１において、１は厚紙製の中箱で、正面に窓に擬した開口部２が設けてあり、内部にタイル製の蓄熱材３や不織布製で上部に竹ひごの付いた遮蔽材４を着脱することが可能な掛け部５、６が設けてあり、７は厚紙製の外箱で、正面に窓に擬した開口部８が設けてあり、入れ子構造になった中箱１と外箱７の間に厚紙製のスペーサー９を上下に１枚ずつ挿入して、外箱７に対する中箱１の位置を固定し、発泡樹脂製で弾力性のある縁材１１が設けられたプラスチック製の透明板材１２を正面外側から嵌め込んで中箱１の正面を閉じている。【００１０】  中箱１の天面とスペーサー９には、アルミホイル１３で先を覆った棒温度計１４が通る小穴１５、１６が設けてあり、外箱８の天面には、棒温度計１４を固定するとともに小穴１５、１６を塞ぐための発泡樹脂製で弾力性のある固定材１７が通る大きさの穴１８が設けてあり、中箱１、外箱７、スペーサー９、透明板材１２を組み立てた後に、天面から棒温度計１４を通して、固定材１７で中箱１を密閉することとしている。【００１１】  図２において、透明板材１２は、縁材１１と、外箱７の開口部８の四周に設けられた厚紙の折り込み１９の双方の弾力と摩擦力によって、外箱７の開口部８に固定されており、着脱が自由であるため、布テープ製の引手２０を引いて透明板材１２を外すだけで、中箱１内部の蓄熱材３や遮蔽材４を着脱することが可能である。【００１２】  図３において、スペーサー９と一体になった左右の突起２１が中箱を左右に固定し、突起２２が中箱の後方への移動を止めることとしているため、中箱１と外箱７の入れ子構造の間の空間が一定に保たれ、正面外側から嵌め込んだ透明板材１２の縁材１１が、中箱１の正面に設けられた開口部２の周囲の平面部２３に密着して、中箱１を密閉するとともに、外箱７の側面に設けられた開口部２４、およびスペーサー９の切り欠き１０が中箱１と外箱７の間の通気性をよくし、断熱性の低い二重箱をつくることとしている。【００１３】  突起２１〜２３が一体になっているスペーサー９は、図４における山折り目２５と谷折り目２６を折り曲げて、中箱１と外箱７の間に挿入することで、形状が一定に保たれることとしている。【００１４】  図５において、入れ子構造になった中箱１と外箱７の間に板状の発泡樹脂製の断熱材２７〜３１を挿入することで、外箱７内部の中箱１の位置を図１におけるものと同様に固定し、縁材１１が設けられたプラスチック製の透明板材１２を正面外側から嵌め込んで中箱１の正面を閉じることで、断熱性の高い２重箱をつくることとしている。【００１５】  断熱材３１には、中箱１の天面の小穴１５と同位置に貫通穴３２が設けてあり、中箱１、外箱７、断熱材２７〜３１、透明板材１２を組み立てた後に、アルミホイル１３で先を覆った棒温度計１４を天面から通して、固定材１７で断熱材３１を挟んで中箱１を密閉することとしている。【００１６】  図６における順序で、中箱１と外箱７の間に断熱材２７〜３１を挿入することとする。【００１７】  図７においても、図２においてと同様、透明板材１２は、縁材１１と、外箱７の開口部８の四周に設けられた厚紙の折り込み１９の双方の弾力と摩擦力によって、外箱７の開口部８に固定されており、着脱が自由であるため、布テープ製の引手２０を引いて透明板材１２を外し、中箱１の内部の装着部品の着脱が可能であるとともに、透明板材１２自体も別種の透明板材３４への交換が可能である。【００１８】  外箱７の天面に、遮蔽材を吊るすフック用の取り付け穴３５ａが設けてあり、コの字型に折って強度を持たせた厚紙製のフック３５を穴の裏から通して取り付け、簾３６などの遮蔽材を掛けることが可能である。【００１９】  中箱１の内部の換気を行う実験のために、中箱１の蓋３７の端の折込み部３８を中箱１の背面内側に差し込まずに伸ばして出しておき、中箱１と外箱７の間に断熱材２７〜３１を挿入する時に、背面上断熱材３０と天面断熱材３１の間に挟むこととしている。【００２０】  図８において、外箱７の蓋３９の端の折込み部４０を引き出して伸ばし、背面上断熱材３０を布テープ製の引手４１を引いて取り出すと、中箱１に換気口を設けることができ、正面の透明板材１２または３４を片持ちに上げると風の流れができ、実験の途中でも中箱１内部の換気を行うことが可能である。【００２１】  図９において、外箱７の蓋３９にあるツメ４２を内蓋４３に引っ掛けておくことで、折込み部４０を引き出して伸ばした場合にも、蓋３９が浮き上がることを防ぐことができる。【００２２】  図１２〜１３において、中箱１の正面開口部２の上部に遮熱材引掛け部６を貼り合わせることで、中箱１の耐久性を上げることとしている。【００２３】  図１４におけるように、中箱１を平たく折り畳んだ状態で収納できることとし、実験の度に実施者は、これを広げて蓋をするだけの短時間の作業で下準備ができることとしている。【００２４】  図１６におけるように、外箱７を平たく折り畳んだ状態で収納できることとし、実験の度に実施者は、これを広げて蓋をするだけの短時間の作業で下準備ができることとしている。
【図面の簡単な説明】
【００２５】
【図１】断熱性の低い入れ子構造の箱の縦断面図。
【図２】断熱性の低い入れ子構造の箱の装着部品を外した状態の縦断面図。
【図３】中箱１、外箱７、スペーサー９の組み立て順序を示した投影図。
【図４】スペーサー９の展開図。
【図５】断熱性の高い入れ子構造の箱の縦断面図。
【図６】中箱１、外箱７、断熱材２７〜３１の組み立て順序を示した投影図。
【図７】断熱性の高い入れ子構造の箱に換気孔を設ける用意をした状態の縦断面図。
【図８】断熱性の高い入れ子構造の箱に換気孔を設けた状態の縦断面図。
【図９】断熱性の高い入れ子構造の箱に換気孔を設けた状態の左後方からの投影図。
【図１０】断熱性の低い入れ子構造の箱の切断面を示した正面図。
【図１１】断熱性の高い入れ子構造の箱の切断面を示した正面図。
【図１２】中箱１の展開図。
【図１３】遮蔽材掛け部６の展開図。
【図１４】中箱１を平たく折り畳んだ状態の正面図。
【図１５】外箱７の展開図。
【図１６】外箱７を平たく折り畳んだ状態の正面図。
【符号の説明】
【００２６】１．  中箱
２．  中箱正面開口部
３．  蓄熱材
４．  遮蔽材
５．  蓄熱材掛け部
６．  遮蔽材掛け部
７．  外箱
８．  外箱正面開口部
９．  スペーサー
１０．切り欠き
１１．縁材
１２．透明板材
１３．アルミホイル
１４．棒温度計
１５．中箱天面小穴
１６．スペーサー小穴
１７．固定材
１８．外箱天面穴
１９．開口部折り込み
２０．透明板材の引手
２１．左右突起
２２．後ろ突起
２３．平面部
２４．側面開口部
２５．山折り目
２６．谷折り目
２７．下面断熱材
２８．左右断熱材
２９．背面下断熱材
３０．背面上断熱材
３１．天面断熱材
３３．貫通穴
３４．別種透明板材
３５．フック
３５ａ．フック用穴
３６．簾
３７．中箱蓋
３８．中箱蓋折込み部
３９．外箱蓋
４０．外箱蓋折込み部
４１．背面上断熱材引手
４２．ツメ
４３．内蓋
【図１】
0003138809.tif 000003
【図２】
0003138809.tif 000004
【図３】
0003138809.tif 000005
【図４】
0003138809.tif 000006
【図５】
0003138809.tif 000007
【図６】
0003138809.tif 000008
【図７】
0003138809.tif 000009
【図８】
0003138809.tif 000010
【図９】
0003138809.tif 000011
【図１０】
0003138809.tif 000012
【図１１】
0003138809.tif 000013
【図１２】
0003138809.tif 000014
【図１３】
0003138809.tif 000015
【図１４】
0003138809.tif 000016
【図１５】
0003138809.tif 000017
【図１６】
0003138809.tif 000018
【手続補正書】
【提出日】平成19年10月15日(2007.10.15)
【手続補正１】
【補正対象書類名】実用新案登録請求の範囲
【補正対象項目名】全文
【補正方法】変更
【補正の内容】
【実用新案登録請求の範囲】
【請求項１】
正面に開口部が設けてあり、内部に蓄熱材や遮蔽材を着脱することが可能な掛かりが設けてある、組み立てと折り畳みが繰り返し可能な中箱と、正面と側面に開口部が設けてあり、組み立てと折り畳みが繰り返し可能な外箱、スペーサー、および弾力性のある縁材が設けられた透明板材を構成要素とし、前記中箱と前記外箱から成る入れ子構造の中箱と外箱の間に前記スペーサーを挿入して、外箱に対する中箱の位置を固定し、正面の開口部外側から前記透明板材を嵌め込んで中箱を密閉することを特徴とする断熱性が低い箱模型実験材料。
【請求項２】
正面に開口部が設けてあり、内部に蓄熱材や遮蔽材を着脱することが可能な掛かりが設けてある、組み立てと折り畳みが繰り返し可能な中箱と、正面と側面に開口部が設けてあり、組み立てと折り畳みが繰り返し可能な外箱、断熱材、および弾力性のある縁材が設けられた透明板材を構成要素とし、前記中箱と前記外箱から成る入れ子構造の中箱と外箱の間に前記断熱材を挿入して、外箱に対する中箱の位置を固定し、正面の開口部外側から前記透明板材を嵌め込んで中箱を密閉することを特徴とする断熱性が高い箱模型実験材料。
【手続補正２】
【補正対象書類名】明細書
【補正対象項目名】全文
【補正方法】変更
【補正の内容】
【考案の詳細な説明】
【技術分野】
【０００１】本考案は、建物の壁や窓などの建物外皮と建物内部の温度変化の関係を、建物に擬した箱を使って実験するための、準備が容易で、部材の組み替えが可能で、繰り返し使用することが可能な、箱模型実験材料に関する。
【背景技術】
【０００２】断熱材や蓄熱材、遮蔽材、窓ガラスに擬した透明板材などを、建物に擬した箱に装着し、外側から電球で照射し、箱内部の温度変化を観察する実験がある。
【考案の開示】
【考案が解決しようとする課題】
【０００３】前記実験を行うにあたり、実施者は、断熱材や蓄熱材、遮蔽材、窓ガラスに擬した透明板材、建物に擬した箱などの実験材料を、原材料から裁断加工し、接着剤や粘着テープなどを使って組み立てるなどの準備に、多大な時間と労力を要していた。しかも、これらの実験材料は、接着剤や粘着テープを多用して組み立てられているため、建物に擬した箱に一旦取り付けられた断熱材や蓄熱材、遮蔽材、窓ガラスに擬した透明板材などの装着部品を組み替えることが困難で、異なる実験ごとに異なる箱や装着部品を多数準備する必要があった。また、建物に擬した箱は嵩張るため、保管場所に窮して、実験が終了する度に廃棄し、また新たに作り直すことが多かった。このように、前記実験を行うための問題点として、実験の準備が困難であったこと、実験材料の組み替えができなかったこと、実験材料の保管の困難から繰り返しの使用が難しかったこと、があった。【０００４】本考案は、前記実験を行うにあたり実施者が抱えていた前記の問題点を解決するために、実験の準備が容易にできること、同じ実験材料を何度も組み替えできること、実験材料の保管が容易で繰り返し使用できることを目的とするものである。
【課題を解決するための手段】
【０００５】本考案は前記目的を達成するために、正面に開口部が設けてあり、内部に蓄熱材や遮蔽材を着脱することが可能な掛かりが設けてある、組み立てと折り畳みが繰り返し可能な中箱と、正面と側面に開口部が設けてあり、組み立てと折り畳みが繰り返し可能な外箱、スペーサー、および弾力性のある縁材が設けられた透明板材を構成要素とし、前記中箱と前記外箱から成る入れ子構造の、中箱と外箱の間に前記スペーサーを挿入して、外箱に対する中箱の位置を固定し、正面の開口部外側から前記透明板材を嵌め込んで中箱を密閉することを特徴とする断熱性が低い箱模型実験材料を提供する。【０００６】また、正面に開口部が設けてあり、内部に蓄熱材や遮蔽材を着脱することが可能な掛かりが設けてある、組み立てと折り畳みが繰り返し可能な中箱と、正面と側面に開口部が設けてあり、組み立てと折り畳みが繰り返し可能な外箱、断熱材、および弾力性のある縁材が設けられた透明板材を構成要素とし、前記中箱と前記外箱から成る入れ子構造の、中箱と外箱の間に前記断熱材を挿入して、外箱に対する中箱の位置を固定し、正面の開口部外側から前記透明板材を嵌め込んで中箱を密閉することを特徴とする断熱性が高い箱模型実験材料を提供する。
【考案の効果】
【０００７】前記第１の課題解決手段による作用は、次の通りである。すなわち、実験の実施者は、前記第１の課題解決手段による断熱性が低い箱模型実験材料の提供により、実験の準備が容易にできること、建物に擬した箱や蓄熱材、遮蔽材、窓ガラスに擬した透明板材は、接着剤や粘着テープなどを使うことなく、それぞれ着脱が可能なため、少ない実験材料を組み替えて何度も実験できること、建物に擬した箱は折り畳みが可能なため保管が容易で、繰り返し使用できること、である。【０００８】また、前記第２の課題解決手段による作用は、次の通りである。すなわち、実験の実施者は、前記第２の課題解決手段による断熱性が高い箱模型実験材料の提供により、実験の準備が容易にできること、建物に擬した箱や断熱材、蓄熱材、遮蔽材、窓ガラスに擬した透明板材は、接着剤や粘着テープなどを使うことなく、それぞれ着脱が可能なため、少ない実験材料を組み替えて何度も実験できること、建物に擬した箱は折り畳みが可能なため、保管が容易で繰り返し使用できること、である。
【考案を実施するための最良の形態】考案を実施するための最良の形態として、一実施例を図１〜図１６に基づいて説明する。
【実施例】
【０００９】図１において、１は厚紙製の中箱で、正面に窓に擬した開口部２が設けてあり、内部にタイル製の蓄熱材３や不織布製で上部に竹ひごの付いた遮蔽材４を着脱することが可能な掛け部５、６が設けてあり、７は厚紙製の外箱で、正面に窓に擬した開口部８が設けてあり、入れ子構造になった中箱１と外箱７の間に厚紙製のスペーサー９を上下に１枚ずつ挿入して、外箱７に対する中箱１の位置を固定し、発泡樹脂製で弾力性のある縁材１１が設けられたプラスチック製の透明板材１２を外箱正面開口部８の外側から嵌め込んで中箱正面開口部２を閉じている。【００１０】図１において、中箱１の天面とスペーサー９には、アルミホイル１３で先を覆った棒温度計１４が通る小穴１５、１６が設けてあり、外箱８の天面には、棒温度計１４を固定するとともに小穴１５、１６を塞ぐための発泡樹脂製で弾力性のある棒温度計固定材１７が通る大きさの穴１８が設けてあり、中箱１、外箱７、スペーサー９、透明板材１２を組み立てた後に、天面から棒温度計１４を通して、棒温度計固定材１７で中箱１を密閉することとしている。【００１１】図２において、透明板材１２は、縁材１１と、外箱正面開口部８の四周に設けられた厚紙の折り込み１９の双方の弾力と摩擦力によって、外箱正面開口部８に固定されており、着脱が自由であるため、布テープ製の透明板材引手２０を引いて透明板材１２を外すだけで、中箱１内部の蓄熱材３や遮蔽材４を着脱することが可能である。【００１２】図３におけるように、スペーサー９と一体になった左右突起２１が中箱を左右方向に固定し、後ろ突起２２が中箱の後方への移動を止めることとしているため、図１における入れ子構造となった中箱１と外箱７の間の空間が一定に保たれ、外箱正面開口部８の外側から嵌め込んだ透明板材１２の縁材１１が、中箱正面平面部２３に密着して、中箱１を密閉するとともに、図３における外箱側面開口部２４、およびスペーサー切り欠き１０が中箱１と外箱７の間の通気性をよくし、断熱性の低い二重箱をつくることとしている。【００１３】左右突起２１及び後ろ突起２２と一体となっているスペーサー９は、図４における山折り目２５と谷折り目２６を折り曲げて、図３のように中箱１と外箱７の間に挿入することで、形状が一定に保たれることとしている。【００１４】図５において、入れ子構造となった中箱１と外箱７の間に板状の発泡樹脂製の断熱材２７〜３１を挿入することで、中箱１と外箱７の位置関係を、図１におけるスペーサー９による中箱１と外箱７の位置関係と同様にし、縁材１１が設けられたプラスチック製の透明板材１２を外箱正面開口部８の外側から嵌め込んで中箱正面開口部２を閉じることで、断熱性の高い２重箱をつくることとしている。【００１５】図５において、天面断熱材３１には、中箱１の天面の小穴１５と同位置に貫通穴３２が設けてあり、中箱１、外箱７、断熱材２７〜３１、透明板材１２を組み立てた後に、アルミホイル１３で先を覆った棒温度計１４を天面から通して、棒温度計固定材１７で天面断熱材３１を挟んで中箱１を密閉することとしている。【００１６】図６における順序で、中箱１と外箱７の間に断熱材２７〜３１を挿入することとする。【００１７】図７において、二重透明板材３４は、縁材１１と、外箱正面開口部８の四周に設けられた厚紙の折り込み１９の双方の弾力と摩擦力によって、外箱正面開口部８に固定されており、着脱が自由であるため、布テープ製の透明板材引手２０を引いて二重透明板材３４を外し、中箱１の内部の装着部品の着脱が可能であるとともに、二重透明板材３４と図１における透明板材１２との交換が可能である。【００１８】図７において、外箱７の天面に遮蔽材を吊るすフック用の取り付け穴３５ａが設けてあり、コの字型に折って強度を持たせた厚紙製のフック３５を穴の裏から通して取り付け、簾３６などの遮蔽材を掛けることが可能である。【００１９】図７において、中箱１の内部の換気を行う実験のために、中箱蓋３７の端の折込み部３８を中箱１の背面内側に差し込まずに伸ばして出しておき、中箱１と外箱７の間に断熱材２７〜３１を挿入する時に、背面上断熱材３０と天面断熱材３１の間に挟むこととしている。【００２０】図８において、外箱蓋３９の端の折込み部４０を引き出して伸ばし、背面上断熱材３０を布テープ製の背面上断熱材引手４１を引いて取り出すと、中箱１に換気口を設けることができ、正面の透明板材１２または３４を片持ちに上げると風の流れができ、実験の途中でも中箱１内部の換気を行うことが可能である。【００２１】図９において、外箱蓋３９にある外箱蓋ツメ４２を外箱内蓋４３に引っ掛けておくことで、外箱蓋折り込み部４０を引き出して伸ばした場合にも、外箱蓋３９が浮き上がることを防ぐことができる。【００２２】図１２〜１３において、中箱正面開口部２の上部内側に遮熱材引掛け部６を貼り合わせることで、中箱１の耐久性を上げることとしている。【００２３】図１４におけるように、中箱１を平たく折り畳んだ状態で収納できることとし、実験の度に実施者は、これを広げて組み立てるだけの短時間の作業で下準備ができることとしている。【００２４】図１６におけるように、外箱７を平たく折り畳んだ状態で収納できることとし、実験の度に実施者は、これを広げて組み立てるだけの短時間の作業で下準備ができることとしている。
【図面の簡単な説明】
【００２５】
【図１】断熱性の低い入れ子構造の箱の縦断面図。
【図２】断熱性の低い入れ子構造の箱の装着部品を外した状態の縦断面図。
【図３】中箱１、外箱７、スペーサー９の組み立て順序を示した投影図。
【図４】スペーサー９の展開図。
【図５】断熱性の高い入れ子構造の箱の縦断面図。
【図６】中箱１、外箱７、断熱材２７〜３１の組み立て順序を示した投影図。
【図７】断熱性の高い入れ子構造の箱に換気孔を設ける用意をした状態の縦断面図。
【図８】断熱性の高い入れ子構造の箱に換気孔を設けた状態の縦断面図。
【図９】断熱性の高い入れ子構造の箱に換気孔を設けた状態の左後方からの投影図。
【図１０】断熱性の低い入れ子構造の箱の切断面を示した正面図。
【図１１】断熱性の高い入れ子構造の箱の切断面を示した正面図。
【図１２】中箱１の展開図。
【図１３】遮蔽材掛け部６の展開図。
【図１４】中箱１を平たく折り畳んだ状態の正面図。
【図１５】外箱７の展開図。
【図１６】外箱７を平たく折り畳んだ状態の正面図。
【符号の説明】
【００２６】１．  中箱
２．  中箱正面開口部
３．  蓄熱材
４．  遮蔽材
５．  蓄熱材掛け部
６．  遮蔽材掛け部
７．  外箱
８．  外箱正面開口部
９．  スペーサー
１０．スペーサー切り欠き
１１．縁材
１２．透明板材
１３．アルミホイル
１４．棒温度計
１５．中箱天面小穴
１６．スペーサー小穴
１７．棒温度計固定材
１８．外箱天面穴
１９．外箱正面開口部折り込み
２０．透明板材引手
２１．左右突起
２２．後ろ突起
２３．中箱正面平面部
２４．外箱側面開口部
２５．山折り目
２６．谷折り目
２７．下面断熱材
２８．左右断熱材
２９．背面下断熱材
３０．背面上断熱材
３１．天面断熱材
３３．貫通穴
３４．二重透明板材
３５．フック
３５ａ．フック用穴
３６．簾
３７．中箱蓋
３８．中箱蓋折込み部
３９．外箱蓋
４０．外箱蓋折り込み部
４１．背面上断熱材引手
４２．外箱蓋ツメ
４３．外箱内蓋
【手続補正３】
【補正対象書類名】図面
【補正対象項目名】図１
【補正方法】変更
【補正の内容】
【図１】
0003138809.tif 000019